(57)【要約】【課題】複数の電子機器の音声信号を受信し、複数の電子機器間でのデータ及び／又は電源の伝送を行う多機能ヘッドフォンを提供する。【解決手段】多機能ヘッドフォン１０は、筐体１２、スピーカユニット１４、複数のコネクタ１８及び切替モジュール２０を備えるとともに、複数の電子機器２，４が生成した音声信号を受信し、電子機器２，４との間でデータＤＡ及び電源ＰＷのうちの少なくとも何れか一つを伝送する。筐体１２には、収納空間１２２及び複数の開口部１２６が形成される。スピーカユニット１４は、複数の音源線及び複数のスピーカ単体を有する。コネクタ１８は、収納空間１２２に配置され、収納空間１２２の開口部１２１２から露出されて電子機器２，４と接続される。切替モジュール２０は、複数の経路構成を有する。【選択図】図１
0003183044.tif 000002
【実用新案登録請求の範囲】
【請求項１】
筐体、スピーカユニット、複数のコネクタ及び切替モジュールを備えるとともに、複数の電子機器が生成した音声信号を受信し、前記電子機器との間でデータ及び電源のうちの少なくとも何れか一つを伝送する多機能ヘッドフォンであって、
前記筐体には、収納空間及び複数の開口部が形成され、
前記スピーカユニットは、複数の音源線及び複数のスピーカ単体を有し、前記音源線それぞれの一端は、前記開口部のうちの一つを介して前記収納空間へ挿設され、前記収納空間へ挿設された前記音源線は、前記開口部を介して前記電子機器に接続され、前記電子機器の前記音声信号を受信し、前記音源線それぞれの他端は、前記スピーカ単体とそれぞれ接続され、前記スピーカ単体は、前記音声信号を音声へ変換し、
前記コネクタは、前記収納空間に配置され、前記収納空間の前記開口部から露出されて前記電子機器と接続され、
前記切替モジュールは、複数の経路構成を有し、前記収納空間に配置されるとともに、前記コネクタと接続され、前記経路構成により前記電子機器との間で伝送するデータ及び電源の伝送方向を変えることを特徴とする多機能ヘッドフォン。
【請求項２】
前記切替モジュールは、第１の伝送モジュール、第２の伝送モジュール、切替ユニット及びハブモジュールを有し、
前記第１の伝送モジュールは、第１の電源接続端子及び第１のデータ接続端子を有するとともに、前記コネクタのうちの一つと接続され、前記第１の電源接続端子及び前記第１のデータ接続端子を介して前記コネクタのうちの一つが接続された前記電子機器のうちの一つとの間でデータ及び電源の伝送を行い、
前記第２の伝送モジュールは、第２の電源接続端子、第２のデータ接続端子及び制御端子を有するとともに、別のコネクタと接続され、前記第２の電源接続端子及び前記第２のデータ接続端子を介して別の電子機器と接続され、前記第２の電源接続端子は、前記第１の電源接続端子と接続され、前記制御端子は、前記第２の伝送モジュールと接続された前記電子機器のマスタ又はスレーブと切替える制御構成であり、
前記切替ユニットは、前記第１のデータ接続端子及び前記第２のデータ接続端子とそれぞれ接続され、
前記ハブモジュールは、複数の接続ユニット及びルータユニットを有し、前記接続ユニットを介して前記切替ユニットと接続され、前記ハブモジュールと前記切替ユニットとにより複数の経路構成が形成され、前記電子機器との間のデータの伝送を行うことを特徴とする請求項１に記載の多機能ヘッドフォン。
【請求項３】
前記切替モジュールは、前記第１の電源接続端子に接続されるとともに、前記第１の電源接続端子に位置する電源から生成されたトリガ信号を取り出し、前記トリガ信号に基づいて前記切替ユニットと前記ハブモジュールとの間で自動的に切替える経路構成である分圧ユニットを有することを特徴とする請求項２に記載の多機能ヘッドフォン。
【請求項４】
前記切替モジュールは、前記ハブモジュールと接続され、前記経路構成により前記電子機器との間でデータ及び電源の伝送を行う拡張ユニットを有することを特徴とする請求項３に記載の多機能ヘッドフォン。
【請求項５】
前記拡張ユニットは、電気的インタフェース、（公序良俗違反につき、不掲載）、カードリーダ及び無線通信回路のうちの少なくとも何れか一つであることを特徴とする請求項４に記載の多機能ヘッドフォン。
【請求項６】
前記第１の電源接続端子及び前記第２の電源接続端子と接続され、前記電子機器から供給される電源を蓄えたり、前記電子機器へ電源を供給したりする電池ユニットをさらに備えることを特徴とする請求項２に記載の多機能ヘッドフォン。
【請求項７】
スイッチユニットをさらに備え、
前記スイッチユニットは、接地と、前記第２の伝送モジュールの前記制御端子と、に接続され、前記スイッチユニットを押圧することにより、前記制御端子と前記接地との間の導通状態を制御するとともに、前記第１の電源接続端子及び前記第２の電源接続端子に接続され、前記スイッチユニットを押圧することにより前記第１の電源接続端子と前記第２の電源接続端子との導通状態を制御することを特徴とする請求項２に記載の多機能ヘッドフォン。
【請求項８】
前記スイッチユニットは、前記接地に接続された第１の切替端子と、前記制御端子に接続された第２の切替端子と、フロート結合された第３の切替端子と、フロート結合された第４切替端子と、前記第２の電源接続端子に接続された第５の切替端子と、前記第１の電源接続端子に接続された第６の切替端子と、を有することを特徴とする請求項７に記載の多機能ヘッドフォン。
【請求項９】
前記コネクタは、標準ＵＳＢ、ミニＵＳＢ、マイクロＵＳＢ、（公序良俗違反につき、不掲載）３０ピンコネクタ及び（公序良俗違反につき、不掲載）８ピンコネクタのうちの少なくとも何れか一つであることを特徴とする請求項１に記載の多機能ヘッドフォン。
【考案の詳細な説明】
【技術分野】
【０００１】
本考案は、多機能ヘッドフォンに関し、特に、複数の電子装置により生成された音声信号を受信し、電子装置間でのデータ及び／又は電源の伝送を行う多機能ヘッドフォンに関する。
【背景技術】
【０００２】
従来のヘッドフォンは、容易に携帯できる長所を有するため、モバイル機器（例えば、携帯電話又はタブレット型パソコン）にとって必要不可欠な付属品であり、モバイル機器の音声信号をユーザが聞くことができる音声へ変換するために用いられる。
【０００３】
しかし、従来のヘッドフォンは、単純に音声信号を伝送する機能と、音声信号を音声に変換する機能としか備えていなかった。
【０００４】
科学技術の発展に応じてヘッドフォンを改良し、機能を増やすことができる場合、ユーザはヘッドフォンを効率的に使用することができる。
【考案の概要】
【考案が解決しようとする課題】
【０００５】
本考案の目的は、複数の電子機器の音声信号を受信し、複数の電子機器間でのデータ及び／又は電源の伝送を行う多機能ヘッドフォンを提供することにある。
【課題を解決するための手段】
【０００６】
上記課題を解決するために、本考案の第１の形態によれば、筐体、スピーカユニット、複数のコネクタ及び切替モジュールを備えるとともに、複数の電子機器が生成した音声信号を受信し、前記電子機器との間でデータ及び電源のうちの少なくとも何れか一つを伝送する多機能ヘッドフォンであって、前記筐体には、収納空間及び複数の開口部が形成され、前記スピーカユニットは、複数の音源線及び複数のスピーカ単体を有し、前記音源線それぞれの一端は、前記開口部のうちの一つを介して前記収納空間へ挿設され、前記収納空間へ挿設された前記音源線は、前記開口部を介して前記電子機器に接続され、前記電子機器の前記音声信号を受信し、前記音源線それぞれの他端は、前記スピーカ単体とそれぞれ接続され、前記スピーカ単体は、前記音声信号を音声へ変換し、前記コネクタは、前記収納空間に配置され、前記収納空間の前記開口部から露出されて前記電子機器と接続され、前記切替モジュールは、複数の経路構成を有し、前記収納空間に配置されるとともに、前記コネクタと接続され、前記経路構成により前記電子機器との間で伝送するデータ及び電源の伝送方向を変えることを特徴とする多機能ヘッドフォンが提供される。
【０００７】
また、前記切替モジュールは、第１の伝送モジュール、第２の伝送モジュール、切替ユニット及びハブモジュールを有し、前記第１の伝送モジュールは、第１の電源接続端子及び第１のデータ接続端子を有するとともに、前記コネクタのうちの一つと接続され、前記第１の電源接続端子及び前記第１のデータ接続端子を介して前記コネクタのうちの一つが接続された前記電子機器のうちの一つとの間でデータ及び電源の伝送を行い、前記第２の伝送モジュールは、第２の電源接続端子、第２のデータ接続端子及び制御端子を有するとともに、別のコネクタと接続され、前記第２の電源接続端子及び前記第２のデータ接続端子を介して別の電子機器と接続され、前記第２の電源接続端子は、前記第１の電源接続端子と接続され、前記制御端子は、前記第２の伝送モジュールと接続された前記電子機器のマスタ又はスレーブと切替える制御構成であり、前記切替ユニットは、前記第１のデータ接続端子及び前記第２のデータ接続端子とそれぞれ接続され、前記ハブモジュールは、複数の接続ユニット及びルータユニットを有し、前記接続ユニットを介して前記切替ユニットと接続され、前記ハブモジュールと前記切替ユニットとにより複数の経路構成が形成され、前記電子機器との間のデータの伝送を行うことが好ましい。
【０００８】
また、前記切替モジュールは、前記第１の電源接続端子に接続されるとともに、前記第１の電源接続端子に位置する電源から生成されたトリガ信号を取り出し、前記トリガ信号に基づいて前記切替ユニットと前記ハブモジュールとの間で自動的に切替える経路構成である分圧ユニットを有することが好ましい。
【０００９】
また、前記切替モジュールは、前記ハブモジュールと接続され、前記経路構成により前記電子機器との間でデータ及び電源の伝送を行う拡張ユニットを有することが好ましい。
【００１０】  また、前記拡張ユニットは、電気的インタフェース、（公序良俗違反につき、不掲載）、カードリーダ及び無線通信回路のうちの少なくとも何れか一つであることが好ましい。【００１１】
また、前記第１の電源接続端子及び前記第２の電源接続端子と接続され、前記電子機器から供給される電源を蓄えたり、前記電子機器へ電源を供給したりする電池ユニットをさらに備えることが好ましい。
【００１２】
また、スイッチユニットをさらに備え、前記スイッチユニットは、接地と、前記第２の伝送モジュールの前記制御端子と、に接続され、前記スイッチユニットを押圧することにより、前記制御端子と前記接地との間の導通状態を制御するとともに、前記第１の電源接続端子及び前記第２の電源接続端子に接続され、前記スイッチユニットを押圧することにより前記第１の電源接続端子と前記第２の電源接続端子との導通状態を制御することが好ましい。
【００１３】
また、前記スイッチユニットは、前記接地に接続された第１の切替端子と、前記制御端子に接続された第２の切替端子と、フロート結合された第３の切替端子と、フロート結合された第４切替端子と、前記第２の電源接続端子に接続された第５の切替端子と、前記第１の電源接続端子に接続された第６の切替端子と、を有することが好ましい。
【００１４】  また、前記コネクタは、標準ＵＳＢ、ミニＵＳＢ、マイクロＵＳＢ、（公序良俗違反につき、不掲載）３０ピンコネクタ及び（公序良俗違反につき、不掲載）８ピンコネクタのうちの少なくとも何れか一つであることが好ましい。
【考案の効果】
【００１５】
従来のものに比して、本考案の多機能ヘッドフォンは、複数の電子機器（例えば、携帯型移動通信機器、ノート型パソコンなど）が生成した音源信号を受信し、マスタ／スレーブのアーキテクチャを有する電子機器と接続したときに発生する電圧変化（例えば、高電圧、低電圧又はエッジ電圧の変化）を利用することができる上、切替モジュールにより形成された複数の経路構成のうちの一つを自動的に選択し、複数の経路構成を介して複数の電子機器間でデータ及び／又は電源の伝送を行うことができる。
【００１６】
そのため、本考案の多機能ヘッドフォンは、電子機器から生成された音源信号を受信し、電子機器間でデータ及び電源の伝送を行うことができる。
【図面の簡単な説明】
【００１７】
【図１】本考案の一実施形態に係る多機能ヘッドフォンを示すブロック図である。
【図２】図１の切替モジュールの一実施形態のブロック図である。
【図３】図１の切替モジュールの他の実施形態のブロック図である。
【図４】図３のスイッチユニットを示すブロック図である。
【図５】図２又は図３の切替ユニットを示すブロック図である。
【考案を実施するための形態】
【００１８】
以下、本考案の実施形態について図に基づいて説明する。なお、これによって本考案が限定されるものではない。
【００１９】
図１を参照する。図１は、本考案の一実施形態に係る多機能ヘッドフォンを示すブロック図である。図１に示すように、本考案の一実施形態に係る多機能ヘッドフォン１０は、電子機器４の音声信号ＳＳ（Ｓｏｕｎｄ  Ｓｉｇｎａｌ）を受信し、一方の電子機器２と他方の電子機器４との間のデータ（ｄａｔａ）ＤＡ及び／又は電源（ｐｏｗｅｒ）ＰＷの伝送を行う。電子機器２は、接続ポート２２及び音源孔２４を有する。電子機器４は、接続ポート４２を有する。これら電子機器２，４は、接続ポート２２，４２を介してデータＤＡ及び電源ＰＷの伝送を行う。電子機器２は、音源孔２４を介して音声信号ＳＳを伝送する。電子機器２，４は、マスタ（ｍａｓｔｅｒ）／スレーブ（ｓｌａｖｅ）のアーキテクチャを有する。電子機器２，４は、ノート型パソコン、携帯型移動通信機器、データ記憶装置、カードリーダ、充電器などでもよい。
【００２０】
多機能ヘッドフォン１０は、筐体１２、スピーカユニット１４、コネクタ１６，１８及び切替モジュール２０を含む。
【００２１】
筐体１２には、収納空間１２２及び開口部１２４，１２６，１２８，１２１０，１２１２が形成される。例えば、筐体１２は、金属又はポリ塩化ビニル（ｐｏｌｙｖｉｎｙｌ ｃｈｌｏｒｉｄｅ：ＰＶＣ）からなってもよい。
【００２２】
スピーカユニット１４は、音源線１４２，１４４及びスピーカ単体１４６，１４８を有する。音源線１４２の一端は、開口部１２４を介して収納空間１２２へ挿設され、音源線１４４の一端は、開口部１２６を介して収納空間１２２へ挿設される。これら音源線１４２，１４４は、開口部１２８を介して電子機器２の音源孔２４に接続され、電子機器２の音声信号ＳＳを受信する。音源線１４２，１４４の他端は、スピーカ単体１４６，１４８と接続される。スピーカ単体１４６，１４８は、音声信号ＳＳを音声Ｓへ変換し、スピーカ単体１４６，１４８から音声Ｓを出力する。
【００２３】（公序良俗違反につき、不掲載）
【００２４】
切替モジュール２０は、収納空間１２２に配置されるとともに、コネクタ１６，１８と接続される。切替モジュール２０は、内部に形成された複数の経路構成（この経路は以下詳述する）により、電子機器２，４間におけるデータＤＡ及び電源ＰＷの伝送方向を変えることができる。
【００２５】
例えば、電子機器２がノート型パソコンであり、電子機器４が携帯型移動通信機器である場合、電子機器２及び電子機器４がコネクタ１６，１８を介して切替モジュール２０に接続されると、自動的にノート型パソコンがマスタに設定され、携帯型移動通信機器がスレーブに設定され、マスタ及びスレーブのアーキテクチャによりデータＤＡ及び電源ＰＷの伝送を行う。
【００２６】
また、ノート型パソコンがコネクタ１６から外されると（即ち、携帯型移動通信機器と切替モジュール２０とだけが接続された状態になると）、携帯型移動通信機器がスレーブからマスタへ自動的に設定される。
【００２７】
図２を参照する。図２は、図１の切替モジュールの一実施形態のブロック図である。図２に示すように、切替モジュール２０は、第１の伝送モジュール２０２、第２の伝送モジュール２０４、切替ユニット２０６及びハブモジュール（ｈｕｂ  ｍｏｄｕｌｅ）２０８を含む。
【００２８】
第１の伝送モジュール２０２は、第１の電源接続端子２０２２及び第１のデータ接続端子２０２４を有するとともに、コネクタ１６と接続される。第１の伝送モジュール２０２は、第１の電源接続端子２０２２及び第１のデータ接続端子２０２４を介してコネクタ１６と接続され、コネクタ１６を介して電子機器２との間でデータＤＡ及び電源ＰＷの伝送を行う。
【００２９】
第２の伝送モジュール２０４は、第２の電源接続端子２０４２、第２のデータ接続端子２０４４及び制御端子２０４６を有するとともに、コネクタ１８と接続される。第２の伝送モジュール２０４は、第２の電源接続端子２０４２及び第２のデータ接続端子２０４４を介してコネクタ１８と接続され、コネクタ１８を介して電子機器４との間でデータＤＡ及び電源ＰＷの伝送を行う。第２の電源接続端子２０４２は、第１の電源接続端子２０２２と接続され、制御端子２０４６は、第２の伝送モジュール２０４と接続された電子機器４のマスタ又はスレーブの制御構成を切替えることができる。即ち、電子機器４は、制御端子２０４６によりマスタを作動させるかスレーブを作動させるかを決めることができる。
【００３０】
切替ユニット２０６は、第１のデータ接続端子２０２４及び第２のデータ接続端子２０４４とそれぞれ接続される。
【００３１】
ハブモジュール２０８は、接続ユニット２０８２及びルータユニット２０８４を有する。ハブモジュール２０８は、接続ユニット２０８２を介して切替ユニット２０６と接続される。ハブモジュール２０８と切替ユニット２０６とにより形成した複数の経路構成（図示せず）により、電子機器２，４間でのデータＤＡ及び電源ＰＷの伝送を行う。
【００３２】
図３を参照する。図３は、図１の切替モジュールの他の実施形態のブロック図である。図３に示すように、切替モジュール２０’は、図２の第１の伝送モジュール２０２、第２の伝送モジュール２０４、切替ユニット２０６及びハブモジュール２０８を含む以外に、分圧ユニット２１０、拡張ユニット２１２、電池ユニット２１４及びスイッチユニット２１６を含んでもよい。
【００３３】
分圧ユニット２１０は、第１の電源接続端子２０２２に接続されるとともに、第１の電源接続端子２０２２に位置する電源ＰＷから生成されたトリガ信号ＴＳ（Ｔｒｉｇｇｅｒ  Ｓｉｇｎａｌ）を取り出す。切替ユニット２０６とハブモジュール２０８との間の経路構成は、トリガ信号ＴＳに基づいて自動的に切り替えることができる。
【００３４】  拡張ユニット２１２は、ハブモジュール２０８と接続され、経路構成により電子機器２，４との間でデータＤＡの伝送を行う。例えば、拡張ユニット２１２は、電気的インタフェース（ｅｌｅｃｔｒｉｃａｌ  ｉｎｔｅｒｆａｃｅ）、（公序良俗違反につき、不掲載）、カードリーダ及び無線通信回路のうちの少なくとも何れか一つでもよい。
【００３５】
電池ユニット２１４は、第１の電源接続端子２０２２及び第２の電源接続端子２０４２と接続される。電池ユニット２１４は、電子機器２，４から供給された電源ＰＷを蓄えたり、電子機器２，４へ電源ＰＷを供給したりするために用いる。
【００３６】
スイッチユニット２１６は、接地Ｇと、第２の伝送モジュール２０４の制御端子２０４６と、に接続されるとともに、スイッチユニット２１６を押圧することにより、制御端子２０４６と接地Ｇとの間の導通状態を制御することができる。スイッチユニット２１６は、第１の電源接続端子２０２２及び第２の電源接続端子２０４２に接続されるとともに、スイッチユニット２１６' を押圧することにより、第１の電源接続端子２０２２と第２の電源接続端子２０４２との導通状態を制御することができる。
【００３７】
図４を併せて参照する。図４は、図３のスイッチユニットを示すブロック図である。図４に示すように、スイッチユニット２１６”が６つの切換端子を内蔵する切換器である場
合、スイッチユニット２１６、２１６' は、第１の切替端子２１６２、第２の切替端子２１６４、第３の切替端子２１６６、第４の切替端子２１６８、第５の切替端子２１６１０及び第６の切替端子２１６１２を有する。
【００３８】
第１の切替端子２１６２は、接地Ｇに接続される。第２の切替端子２１６４は、制御端子２０４６に接続される。第３の切替端子２１６６及び第４の切替端子２１６８は、フロート連結（ｆｌｏａｔ  ｃｏｎｎｅｃｔｉｏｎ）される。第５の切替端子２１６１０は、第２の電源接続端子２０４２と接続される。第６の切替端子２１６１２は、第１の電源接続端子２０２２と接続される。ここで、切替モジュール２０’は、スイッチユニット２１６の切替えに基づき、ユーザは、手動方式を選択して切替ユニット２０６とハブモジュール２０８との経路構成を変えてもよい。
【００３９】
図５を参照する。図５は、図２又は図３の切替ユニットを示すブロック図である。図５に示すように、切替ユニット２０６は、２つの切替ユニットにより構成される。本実施形態の切替ユニット２０６は、第１の切替ユニット２０６２と第２の切替ユニット２０６４とに分けられる。
【００４０】
第１の切替ユニット２０６２は、メイン端末２０６２２、第１の制御端子２０６２４、第２の制御端子２０６２６及び選択端子２０６２８を有する。第２の切替ユニット２０６４は、メイン端末２０６４２、第１の制御端子２０６４４、第２の制御端子２０６４６及び選択端子２０６４８を有する。
【００４１】
第１の切替ユニット２０６２は、第２の切替ユニット２０６４に接続され、第１の切替ユニット２０６２のメイン端末２０６２２とハブモジュール２０８とが接続される。第１の切替ユニット２０６２の第１の制御端子２０６２４と、第２の切替ユニット２０６４の第１の制御端子２０６４４とが接続され、第１の切替ユニット２０６２の第２の制御端子２０６２６と、第１の伝送モジュール２０２の第１の電源接続端子２０２２とが接続され、第２の切替ユニット２０６４のメイン端末２０６４２と、第２の伝送モジュール２０４の第２の電源接続端子２０４２とが接続され、第２の切替ユニット２０６４の第２の制御端子２０６４６とハブモジュール２０８とが接続される。
【００４２】
第１の切替ユニット２０６２の各端子と第２の切替ユニット２０６４の各端子との切替えにハブモジュール２０８を組み合わせることにより、切替モジュール２０中に第１の経路構成ＦＰＣ（Ｆｉｒｓｔ  Ｐａｔｈ  Ｃｏｎｆｉｇｕｒａｔｉｏｎ）及び第２の経路構成ＳＰＣ（Ｓｅｃｏｎｄ  Ｐａｔｈ  Ｃｏｎｆｉｇｕｒａｔｉｏｎ）が形成されるが、それらについては以下説明する。
【００４３】
第１の経路構成ＦＰＣは、第１の切替ユニット２０６２の第２の制御端子２０６２６及びメイン端末２０６２２と、ハブモジュール２０８と、第２の切替ユニット２０６４の第２の制御端子２０６４６及びメイン端末２０６４２と、からなる経路を用いて電子機器２，４間でデータＤＡの伝送を行う。
【００４４】
第２の経路構成ＳＰＣは、第２の切替ユニット２０６４のメイン端末２０６４２及び第１の制御端子２０６４４と、第１の切替ユニット２０６２の第１の制御端子２０６２４及びメイン端末２０６２２と、ハブモジュール２０８と、からなる経路を用いて電子機器４と拡張ユニット２１２との間でデータＤＡの伝送を行う。
【００４５】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００４６】
２，４  電子機器、１０  多機能ヘッドフォン、１２  筐体、１４  スピーカユニット、１６，１８  コネクタ、２０，２０’  切替モジュール、２２  接続ポート、２４  音源孔、４２  接続ポート、１２２  収納空間、１２４，１２６，１２８  開口部、１４２，１４４  音源線、１４６，１４８  スピーカ単体、２０２  第１の伝送モジュール、２０４  第２の伝送モジュール、２０６  切替ユニット、２０８  ハブモジュール、２１０  分圧ユニット、２１２  拡張ユニット、２１４  電池ユニット、２１６，２１６'，２１６”  スイッチユニット、１２１０，１２１２  開口部、２０２２  第１の電源接続端子、２０２４  第１のデータ接続端子、２０４２  第２の電源接続端子、２０４４  第２のデータ接続端子、２０４６  制御端子、２０６２  第１の切替ユニット、２０６４  第２の切替ユニット、２０８２  接続ユニット、２０８４  ルータユニット、２１６２  第１の切替端子、２１６４  第２の切替端子、２１６６  第３の切替端子、２１６８  第４の切替端子、２０６２２  メイン端末、２０６２４  第１の制御端子、２０６２６  第２の制御端子、２０６２８  選択端子、２０６４２  メイン端末、２０６４４  第１の制御端子、２０６４６  第２の制御端子、２０６４８  選択端子、２１６１０  第５の切替端子、２１６１２  第６の切替端子、ＤＡ  データ、ＦＰＣ  第１の経路構成、Ｇ  接地、ＰＷ  電源、Ｓ  音声、ＳＳ  音声信号、ＳＰＣ  第２の経路構成、ＴＳ  トリガ信号。
【図１】
0003183044.tif 000003
【図２】
0003183044.tif 000004
【図３】
0003183044.tif 000005
【図４】
0003183044.tif 000006
【図５】
0003183044.tif 000007
【手続補正書】
【提出日】平成25年2月25日(2013.2.25)
【手続補正１】
【補正対象書類名】明細書
【補正対象項目名】００１０
【補正方法】変更
【補正の内容】
【００１０】
また、前記拡張ユニットは、電気的インタフェース、カードリーダ及び無線通信回路のうちの少なくとも何れか一つであることが好ましい。
【手続補正２】
【補正対象書類名】明細書
【補正対象項目名】００１４
【補正方法】変更
【補正の内容】
【００１４】
また、前記コネクタは、標準ＵＳＢ、ミニＵＳＢ、マイクロＵＳＢ、３０ピンコネクタ及び８ピンコネクタのうちの少なくとも何れか一つであることが好ましい。
【手続補正３】
【補正対象書類名】明細書
【補正対象項目名】００２３
【補正方法】変更
【補正の内容】
【００２３】
図１を再び参照する。図１に示すように、コネクタ１６，１８は、収納空間１２２に設置される。例えば、コネクタ１６，１８は、標準ＵＳＢ（ユニバーサル・シリアル・バス）（ｓｔａｎｄａｒｄ  Ｕｎｉｖｅｒｓａｌ  Ｓｅｒｉａｌ  Ｂｕｓ）、ミニＵＳＢ（ｍｉｎｉ  Ｓｔａｎｄａｒｄ  Ｕｎｉｖｅｒｓａｌ  Ｓｅｒｉａｌ  Ｂｕｓ）、マイクロＵＳＢ（ｍｉｃｒｏ  Ｓｔａｎｄａｒｄ  Ｕｎｉｖｅｒｓａｌ  Ｓｅｒｉａｌ  Ｂｕｓ）、３０ピンコネクタ（３０  ｐｉｎ  ｃｏｎｎｅｃｔｏｒ）及び８ピンコネクタ（８  ｐｉｎ  ｃｏｎｎｅｃｔｏｒ）のうちの少なくとも何れか一つでもよい。コネクタ１６，１８は、収納空間１２２の開口部１２１０，１２１２から露出され、電子機器２，４の接続ポート２２，４２と接続される。
【手続補正４】
【補正対象書類名】明細書
【補正対象項目名】００３４
【補正方法】変更
【補正の内容】
【００３４】
拡張ユニット２１２は、ハブモジュール２０８と接続され、経路構成により電子機器２，４との間でデータＤＡの伝送を行う。例えば、拡張ユニット２１２は、電気的インタフェース（ｅｌｅｃｔｒｉｃａｌ  ｉｎｔｅｒｆａｃｅ）、カードリーダ及び無線通信回路のうちの少なくとも何れか一つでもよい。
【手続補正５】
【補正対象書類名】実用新案登録請求の範囲
【補正対象項目名】全文
【補正方法】変更
【補正の内容】
【実用新案登録請求の範囲】
【請求項１】
筐体、スピーカユニット、複数のコネクタ及び切替モジュールを備えるとともに、複数の電子機器が生成した音声信号を受信し、前記電子機器との間でデータ及び電源のうちの少なくとも何れか一つを伝送する多機能ヘッドフォンであって、
前記筐体には、収納空間及び複数の開口部が形成され、
前記スピーカユニットは、複数の音源線及び複数のスピーカ単体を有し、前記音源線それぞれの一端は、前記開口部のうちの一つを介して前記収納空間へ挿設され、前記収納空間へ挿設された前記音源線は、前記開口部を介して前記電子機器に接続され、前記電子機器の前記音声信号を受信し、前記音源線それぞれの他端は、前記スピーカ単体とそれぞれ接続され、前記スピーカ単体は、前記音声信号を音声へ変換し、
前記コネクタは、前記収納空間に配置され、前記収納空間の前記開口部から露出されて前記電子機器と接続され、
前記切替モジュールは、複数の経路構成を有し、前記収納空間に配置されるとともに、前記コネクタと接続され、前記経路構成により前記電子機器との間で伝送するデータ及び電源の伝送方向を変えることを特徴とする多機能ヘッドフォン。
【請求項２】
前記切替モジュールは、第１の伝送モジュール、第２の伝送モジュール、切替ユニット及びハブモジュールを有し、
前記第１の伝送モジュールは、第１の電源接続端子及び第１のデータ接続端子を有するとともに、前記コネクタのうちの一つと接続され、前記第１の電源接続端子及び前記第１のデータ接続端子を介して前記コネクタのうちの一つが接続された前記電子機器のうちの一つとの間でデータ及び電源の伝送を行い、
前記第２の伝送モジュールは、第２の電源接続端子、第２のデータ接続端子及び制御端子を有するとともに、別のコネクタと接続され、前記第２の電源接続端子及び前記第２のデータ接続端子を介して別の電子機器と接続され、前記第２の電源接続端子は、前記第１の電源接続端子と接続され、前記制御端子は、前記第２の伝送モジュールと接続された前記電子機器のマスタ又はスレーブと切替える制御構成であり、
前記切替ユニットは、前記第１のデータ接続端子及び前記第２のデータ接続端子とそれぞれ接続され、
前記ハブモジュールは、複数の接続ユニット及びルータユニットを有し、前記接続ユニットを介して前記切替ユニットと接続され、前記ハブモジュールと前記切替ユニットとにより複数の経路構成が形成され、前記電子機器との間のデータの伝送を行うことを特徴とする請求項１に記載の多機能ヘッドフォン。
【請求項３】
前記切替モジュールは、前記第１の電源接続端子に接続されるとともに、前記第１の電源接続端子に位置する電源から生成されたトリガ信号を取り出し、前記トリガ信号に基づいて前記切替ユニットと前記ハブモジュールとの間で自動的に切替える経路構成である分圧ユニットを有することを特徴とする請求項２に記載の多機能ヘッドフォン。
【請求項４】
前記切替モジュールは、前記ハブモジュールと接続され、前記経路構成により前記電子機器との間でデータ及び電源の伝送を行う拡張ユニットを有することを特徴とする請求項３に記載の多機能ヘッドフォン。
【請求項５】
前記拡張ユニットは、電気的インタフェース、カードリーダ及び無線通信回路のうちの少なくとも何れか一つであることを特徴とする請求項４に記載の多機能ヘッドフォン。
【請求項６】
前記第１の電源接続端子及び前記第２の電源接続端子と接続され、前記電子機器から供給される電源を蓄えたり、前記電子機器へ電源を供給したりする電池ユニットをさらに備えることを特徴とする請求項２に記載の多機能ヘッドフォン。
【請求項７】
スイッチユニットをさらに備え、
前記スイッチユニットは、接地と、前記第２の伝送モジュールの前記制御端子と、に接続され、前記スイッチユニットを押圧することにより、前記制御端子と前記接地との間の導通状態を制御するとともに、前記第１の電源接続端子及び前記第２の電源接続端子に接続され、前記スイッチユニットを押圧することにより前記第１の電源接続端子と前記第２の電源接続端子との導通状態を制御することを特徴とする請求項２に記載の多機能ヘッドフォン。
【請求項８】
前記スイッチユニットは、前記接地に接続された第１の切替端子と、前記制御端子に接続された第２の切替端子と、フロート結合された第３の切替端子と、フロート結合された第４切替端子と、前記第２の電源接続端子に接続された第５の切替端子と、前記第１の電源接続端子に接続された第６の切替端子と、を有することを特徴とする請求項７に記載の多機能ヘッドフォン。
【請求項９】
前記コネクタは、標準ＵＳＢ、ミニＵＳＢ、マイクロＵＳＢ、３０ピンコネクタ及び８ピンコネクタのうちの少なくとも何れか一つであることを特徴とする請求項１に記載の多機能ヘッドフォン。